(57)【特許請求の範囲】
【請求項１】
国内外の複数のカード発行会杜の各店舗の店舗端末との間で信号のやりとりを行うためのインターフェース手段と、
上記インターフェース手段に上記各店舗端末から入力される信号に基づいて、内部の処理及び制御を行うための処理手段と、
カード発行に使用されていない未使用カード番号を格納するための未使用カード番号格納手段と、
上記未使用カード番号格納手段から上記各店舗端末によって未使用カード番号が取り出されたときに、その取り出された未使用カード番号を格納するための取出済未使用カード番号格納手段と、
カード発行に使用された使用中のカード番号を格納するための使用中カード番号格納手段と、
残高がなくなったカードのカード番号を格納するための使用済カード番号格納手段と、
を備え、
上記処理手段は、上記インターフェース手段に上記各店舗端末から入力される信号に基づいて、各上記格納手段の間でカード番号を移管して、カード番号を管理するものであって、
上記処理手段は、
上記店舗端末から、顧客からのカード発行の依頼申込があったことを示す未使用カード番号を取り出すための信号を受けたときに、上記未使用カード番号格納手段から上記未使用カード番号を読み出し、当該未使用カード番号を上記店舗端末に送信するとともに、それを上記取出済未使用カード番号格納手段に移管して取り出し済みの未使用カード番号として格納し、
上記店舗端末に送信した、上記取出済未使用カード番号格納手段に格納されている上記取り出し済みの未使用カード番号でカードを発行した旨を知らせるカード発行報告信号を上記店舗端末から受けたときに、当該未使用カード番号を上記取出済未使用カード番号格納手段から上記使用中カード番号格納手段に移管して使用中のカード番号として格納し、
上記使用中カード番号格納手段に格納されている上記使用中のカード番号に対応して上記店舗にて開設されたカード決済専用口座の残高がなくなって当該カード決済専用口座が閉鎖された旨を知らせる閉鎖通知信号を上記店舗端末から受けたときに、当該使用中のカード番号を上記使用中カード番号格納手段から上記使用済カード番号格納手段に移管して使用済カード番号として格納する
ことを特徴とするカード番号管理装置。
【請求項２】
少なくとも所定の第一国に設けられた第一のカード発行装置に接続されたカード番号管理装置と、上記所定の第一国を含む国内外に設けられている第二のカード発行装置と、上記カード番号管理装置と上記第二のカード発行装置とを接続している中継装置とを備えたカード番号管理システムであって、
上記カード番号管理装置が、上記中継装置との間で信号のやりとりを行うための管理装置側インターフェース手段と、上記管理装置側インターフェース手段に入力される信号に基づいて、内部の処理及び制御を行うための管理装置側処理手段と、カード発行に使用されていない未使用カード番号を格納するための管理装置側未使用カード番号格納手段と、上記管理装置側未使用カード番号格納手段から上記第一のカード発行装置によって上記未使用カード番号が取り出されたとき、および、上記管理装置側未使用カード番号格納手段から上記第二のカード発行装置によって上記中継装置を介して上記未使用カード番号が取り出されたときに、その取り出された未使用カード番号を格納するための管理装置側取出済未使用カード番号格納手段と、カード発行に使用された使用中のカード番号を格納するための管理装置側使用中カード番号格納手段と、残高がなくなったカードのカード番号を格納するための管理装置側使用済カード番号格納手段と、上記第一のカード発行装置に対してカード決済専用口座を開設させるための信号を発信する口座開設指示手段とを備え、
上記中継装置が、上記カード番号管理装置及び上記第二のカード発行装置との間の信号のやりとりを行うための中継装置側インターフェース手段と、上記中継装置側インターフェース手段に入力される信号に基づいて、内部の処理及び制御を行うための中継装置側処理手段と、上記カード番号管理装置の上記管理装置側未使用カード番号格納手段から上記第二のカード発行装置によって取り出された未使用カード番号を格納するための中継装置側取出済未使用カード番号格納手段と、上記第二のカード発行装置によるカード発行に使用された使用中のカード番号を格納するための中継装置側使用中カード番号格納手段とを備え、
上記第二のカード発行装置が、上記中継装置との間で信号のやりとりを行うための第二のカード発行装置側インターフェース手段と、上記第二のカード発行装置側インターフェース手段に入力される信号に基づいて、内部の処理及び制御を行うための第二のカード発行装置側処理手段と、上記カード番号管理装置の上記管理装置側未使用カード番号格納手段から取り出した未使用カード番号を格納するための第二のカード発行装置側取出済未使用カード番号格納手段と、上記第二のカード発行装置側取出済未使用カード番号格納手段内の未使用カード番号を用いてカードの発行を行うためのカード発行手段と、カード発行に使用したカード番号を格納するための第二のカード発行装置側使用中カード番号格納手段とを備えており、
上記カード番号管理装置は、上記中継装置を介して、上記第二のカード発行装置から、顧客からのカード発行の依頼申込があったことを示す未使用カード番号を取り出すための信号を受信したときに、上記管理装置側未使用カード番号格納手段から上記未使用カード番号を読み出し、当該未使用カード番号を上記中継装置に送信するとともに、上記管理装置側取出済未使用カード番号格納手段に移管して、取り出し済みの未使用カード番号として格納し、
上記中継装置は、上記未使用カード番号を上記カード番号管理装置から受信したときに、当該未使用カード番号を上記第二のカード発行装置に送信するとともに、上記中継装置側取出済未使用カード番号格納手段に格納し、
上記第二のカード発行装置は、上記未使用カード番号を上記中継装置から受信したときに、当該未使用カード番号を上記第二のカード発行装置側取出済未使用カード番号格納手段に格納するとともに、上記カード発行手段により上記未使用カード番号を使用してカードの発行を行い、カード発行に使用した上記未使用カード番号を上記第二のカード発行装置側取出済未使用カード番号格納手段から上記第二のカード発行装置側使用中カード番号格納手段に移管して、使用中のカード番号として格納するとともに、カードを発行した旨を知らせるカード発行報告信号を上記中継装置に送信し、
上記中継装置は、上記第二のカード発行装置から、上記カード発行報告信号を受けたときに、当該カード発行報告信号を上記カード番号管理装置に送信するとともに、カード発行に使用された当該未使用カード番号を上記中継装置側取出済未使用カード番号格納手段から上記中継装置側使用中カード番号格納手段に移管して使用中のカード番号として格納し、
上記カード番号管理装置は、上記中継装置から、上記カード発行報告信号を受けたときに、カード発行に使用された上記未使用カード番号を、上記管理装置側取出済未使用カード番号格納手段から上記管理装置側使用中カード番号格納手段に移管して、使用中のカード番号として格納するとともに、上記口座開設指示手段により、上記第一のカード発行装置に対してカード決済専用口座を開設させるための信号を発信し、
上記第一のカード発行装置は、上記口座開設指示手段により、上記第一のカード発行装置に対してカード決済専用口座を開設させるための信号を受信したときに、当該カード決済専用口座を開設し、
上記カード番号管理装置は、上記第一のカード発行装置から、上記カード決済専用口座の残高がなくなって当該カード決済専用口座が閉鎖された旨を知らせる閉鎖通知信号を受けたときに、当該使用中のカード番号を上記管理装置側使用中カード番号格納手段から上記管理装置側使用済カード番号格納手段に移管して使用済カード番号として格納する
ことを特徴とするカード番号管理システム。
【請求項３】
上記第二のカード発行装置が、さらに、
顧客情報が入力されて、上記顧客情報に基づいてカードの発行に必要なカードデータを作成するためのカードデータ作成手段と、
上記カードデータに対応するカード発行に使用する上記第二のカード発行装置側取出済未使用カード番号格納手段内の未使用カード番号を取り出して、当該未使用カード番号を、上記カードデータとともに、承認待ちの未使用カード番号およびカードデータとして、一時的に格納するための第二のカード発行装置側未承認カード番号格納手段と、
上記第二のカード発行装置側未承認カード番号格納手段内の上記カードデータの内容を読み出して、それに対する確認の結果として、誤りのないことが確認されて承認された旨の信号が入力されたときに、上記カード発行手段に承認済みである旨を知らせるとともに、上記未使用カード番号を上記第二のカード発行装置側使用中カード番号格納手段に移管する承認手段と
を備え、
上記カード発行手段は、上記承認手段から上記信号を受けたときに、承認済みの上記カードデータおよびカード番号を用いて上記カードの発行を行う
ことを特徴とする請求項２記載のカード番号管理システム。
【請求項４】
上記中継装置が、さらに、
上記第二のカード発行装置から、上記承認手段による承認済みの上記未使用カード番号及び上記カードデータをカード発行報告信号とともに受信したときに、当該未使用カード番号を、上記中継装置側取出済未使用カード番号格納手段から移管させて、カード発行済みのカード番号として一時的に格納する中継装置側承認済カード番号格納手段を備え、
上記中継装置は、上記第二のカード発行装置から上記未使用カード番号及び上記カードデータを上記カード発行報告信号とともに受信したときに、その受信したカード番号を上記中継装置側取出済未使用カード番号格納手段から上記中継装置側承認済カード番号格納手段に移管させて、所定時間の間、それらを集積格納していき、当該所定時間経過後に集積格納された上記未使用カード番号をまとめてカード発行報告信号として上記カード番号管理装置に出力する
ことを特徴とする請求項３記載のカード番号管理システム。
【発明の詳細な説明】
【０００１】
【発明の属する技術分野】
本発明は，カード番号管理装置及びカード番号管理システムに関し，特に，銀行やカード会社のカード発行業務におけるカード番号の管理を行うためのカード番号管理装置及びカード番号管理システムに関する。
【０００２】
【従来の技術】
従来，銀行のキャッシユカードやカード会社のクレジットカード及びプリペイドカード等のカードの発行及びカード番号等の管理は，銀行やカード会社のカードセンターに集中的に一任されており，カード番号の取り扱いやカード発行業務はカードセンターで一方的に管理され，行われている。そのため，銀行やカード会社の本店または各支店は，自由かつ随意に，カードを発行することはできなかった。
【０００３】
【発明が解決しようとする課題】
従来においては，上述したように，カードの発行及び管理等がすべてカードセンターにおいて集中的に行われているため，下記の問題点があった。
【０００４】
まず，カードを発行するためやカード番号を管理するために必要な機能が，カードセンターのような別の組織に一極集中されているので，銀行やカード会社の本店または各支店においては，カードを直接発行することができなかった。
【０００５】
銀行やカード会社の本店または各支店が顧客からカード発行依頼の申込を受けた場合，本店または各支店は，カードセンターにカードの発行を依頼し，それを受けてカードセンターがカードを発行するため，顧客が申込をしてからカードを受け取るまでに，少なくとも一週間以上の長い日数がかかっていた。そのため，顧客の急な要請に対応することができなかった。
【０００６】
本発明は上記のような課題を解決するためになされたもので，カード番号を合理的かつ効率良く管理して，国内外の銀行やカード会社の本店または各支店においてもカードの発行を直接行うことを可能にし，短時間に大量のカードを顧客に供給することができるカード番号管理装置及びカード番号管理システムを提供することを目的とする。
【０００７】
【課題を解決するための手段】
本発明に係わるカード番号管理装置は、国内外の複数のカード発行会杜の各店舗の店舗端末との間で信号のやりとりを行うためのインターフェース手段と、上記インターフェース手段に上記各店舗端末から入力される信号に基づいて、内部の処理及び制御を行うための処理手段と、カード発行に使用されていない未使用カード番号を格納するための未使用カード番号格納手段と、上記未使用カード番号格納手段から上記各店舗端末によって未使用カード番号が取り出されたときに、その取り出された未使用カード番号を格納するための取出済未使用カード番号格納手段と、カード発行に使用された使用中のカード番号を格納するための使用中カード番号格納手段と、残高がなくなったカードのカード番号を格納するための使用済カード番号格納手段と、を備え、上記処理手段は、上記インターフェース手段に上記各店舗端末から入力される信号に基づいて、各上記格納手段の間でカード番号を移管して、カード番号を管理するものであって、上記処理手段は、上記店舗端末から、顧客からのカード発行の依頼申込があったことを示す未使用カード番号を取り出すための信号を受けたときに、上記未使用カード番号格納手段から上記未使用カード番号を読み出し、当該未使用カード番号を上記店舗端末に送信するとともに、それを上記取出済未使用カード番号格納手段に移管して取り出し済みの未使用カード番号として格納し、上記店舗端末に送信した、上記取出済未使用カード番号格納手段に格納されている上記取り出し済みの未使用カード番号でカードを発行した旨を知らせるカード発行報告信号を上記店舗端末から受けたときに、当該未使用カード番号を上記取出済未使用カード番号格納手段から上記使用中カード番号格納手段に移管して使用中のカード番号として格納し、上記使用中カード番号格納手段に格納されている上記使用中のカード番号に対応して上記店舗にて開設されたカード決済専用口座の残高がなくなって当該カード決済専用口座が閉鎖された旨を知らせる閉鎖通知信号を上記店舗端末から受けたときに、当該使用中のカード番号を上記使用中カード番号格納手段から上記使用済カード番号格納手段に移管して使用済カード番号として格納する。
【００１１】
本発明のカード番号管理システムは、少なくとも所定の第一国に設けられた第一のカード発行装置に接続されたカード番号管理装置と、上記所定の第一国を含む国内外に設けられている第二のカード発行装置と、上記カード番号管理装置と上記第二のカード発行装置とを接続している中継装置とを備えたカード番号管理システムであって、上記カード番号管理装置が、上記中継装置との間で信号のやりとりを行うための管理装置側インターフェース手段と、上記管理装置側インターフェース手段に入力される信号に基づいて、内部の処理及び制御を行うための管理装置側処理手段と、カード発行に使用されていない未使用カード番号を格納するための管理装置側未使用カード番号格納手段と、上記管理装置側未使用カード番号格納手段から上記第一のカード発行装置によって上記未使用カード番号が取り出されたとき、および、上記管理装置側未使用カード番号格納手段から上記第二のカード発行装置によって上記中継装置を介して上記未使用カード番号が取り出されたときに、その取り出された未使用カード番号を格納するための管理装置側取出済未使用カード番号格納手段と、カード発行に使用された使用中のカード番号を格納するための管理装置側使用中カード番号格納手段と、残高がなくなったカードのカード番号を格納するための管理装置側使用済カード番号格納手段と、上記第一のカード発行装置に対してカード決済専用口座を開設させるための信号を発信する口座開設指示手段とを備え、上記中継装置が、上記カード番号管理装置及び上記第二のカード発行装置との間の信号のやりとりを行うための中継装置側インターフェース手段と、上記中継装置側インターフェース手段に入力される信号に基づいて、内部の処理及び制御を行うための中継装置側処理手段と、上記カード番号管理装置の上記管理装置側未使用カード番号格納手段から上記第二のカード発行装置によって取り出された未使用カード番号を格納するための中継装置側取出済未使用カード番号格納手段と、上記第二のカード発行装置によるカード発行に使用された使用中のカード番号を格納するための中継装置側使用中カード番号格納手段とを備え、上記第二のカード発行装置が、上記中継装置との間で信号のやりとりを行うための第二のカード発行装置側インターフェース手段と、上記第二のカード発行装置側インターフェース手段に入力される信号に基づいて、内部の処理及び制御を行うための第二のカード発行装置側処理手段と、上記カード番号管理装置の上記管理装置側未使用カード番号格納手段から取り出した未使用カード番号を格納するための第二のカード発行装置側取出済未使用カード番号格納手段と、上記第二のカード発行装置側取出済未使用カード番号格納手段内の未使用カード番号を用いてカードの発行を行うためのカード発行手段と、カード発行に使用したカード番号を格納するための第二のカード発行装置側使用中カード番号格納手段とを備えており、上記カード番号管理装置は、上記中継装置を介して、上記第二のカード発行装置から、顧客からのカード発行の依頼申込があったことを示す未使用カード番号を取り出すための信号を受信したときに、上記管理装置側未使用カード番号格納手段から上記未使用カード番号を読み出し、当該未使用カード番号を上記中継装置に送信するとともに、上記管理装置側取出済未使用カード番号格納手段に移管して、取り出し済みの未使用カード番号として格納し、上記中継装置は、上記未使用カード番号を上記カード番号管理装置から受信したときに、当該未使用カード番号を上記第二のカード発行装置に送信するとともに、上記中継装置側取出済未使用カード番号格納手段に格納し、上記第二のカード発行装置は、上記未使用カード番号を上記中継装置から受信したときに、当該未使用カード番号を上記第二のカード発行装置側取出済未使用カード番号格納手段に格納するとともに、上記カード発行手段により上記未使用カード番号を使用してカードの発行を行い、カード発行に使用した上記未使用カード番号を上記第二のカード発行装置側取出済未使用カード番号格納手段から上記第二のカード発行装置側使用中カード番号格納手段に移管して、使用中のカード番号として格納するとともに、カードを発行した旨を知らせるカード発行報告信号を上記中継装置に送信し、上記中継装置は、上記第二のカード発行装置から、上記カード発行報告信号を受けたときに、当該カード発行報告信号を上記カード番号管理装置に送信するとともに、カード発行に使用された当該未使用カード番号を上記中継装置側取出済未使用カード番号格納手段から上記中継装置側使用中カード番号格納手段に移管して使用中のカード番号として格納し、上記カード番号管理装置は、上記中継装置から、上記カード発行報告信号を受けたときに、カード発行に使用された上記未使用カード番号を、上記管理装置側取出済未使用カード番号格納手段から上記管理装置側使用中カード番号格納手段に移管して、使用中のカード番号として格納するとともに、上記口座開設指示手段により、上記第一のカード発行装置に対してカード決済専用口座を開設させるための信号を発信し、上記第一のカード発行装置は、上記口座開設指示手段により、上記第一のカード発行装置に対してカード決済専用口座を開設させるための信号を受信したときに、当該カード決済専用口座を開設し、上記カード番号管理装置は、上記第一のカード発行装置から、上記カード決済専用口座の残高がなくなって当該カード決済専用口座が閉鎖された旨を知らせる閉鎖通知信号を受けたときに、当該使用中のカード番号を上記管理装置側使用中カード番号格納手段から上記管理装置側使用済カード番号格納手段に移管して使用済カード番号として格納する。
【００１２】
また、上記第二のカード発行装置が、さらに、顧客情報が入力されて、上記顧客情報に基づいてカードの発行に必要なカードデータを作成するためのカードデータ作成手段と、上記カードデータに対応するカード発行に使用する上記第二のカード発行装置側取出済未使用カード番号格納手段内の未使用カード番号を取り出して、当該未使用カード番号を、上記カードデータとともに、承認待ちの未使用カード番号およびカードデータとして、一時的に格納するための第二のカード発行装置側未承認カード番号格納手段と、上記第二のカード発行装置側未承認カード番号格納手段内の上記カードデータの内容を読み出して、それに対する確認の結果として、誤りのないことが確認されて承認された旨の信号が入力されたときに、上記カード発行手段に承認済みである旨を知らせるとともに、上記未使用カード番号を上記第二のカード発行装置側使用中カード番号格納手段に移管する承認手段とを備え、上記カード発行手段は、上記承認手段から上記信号を受けたときに、承認済みの上記カードデータおよびカード番号を用いて上記カードの発行を行う。
【００１３】
また、上記中継装置が、さらに、上記第二のカード発行装置から、上記承認手段による承認済みの上記未使用カード番号及び上記カードデータをカード発行報告信号とともに受信したときに、当該未使用カード番号を、上記中継装置側取出済未使用カード番号格納手段から移管させて、カード発行済みのカード番号として一時的に格納する中継装置側承認済カード番号格納手段を備え、上記中継装置は、上記第二のカード発行装置から上記未使用カード番号及び上記カードデータを上記カード発行報告信号とともに受信したときに、その受信したカード番号を上記中継装置側取出済未使用カード番号格納手段から上記中継装置側承認済カード番号格納手段に移管させて、所定時間の間、それらを集積格納していき、当該所定時間経過後に集積格納された上記未使用カード番号をまとめてカード発行報告信号として上記カード番号管理装置に出力する。
【００１５】
【発明の実施の形態】
実施の形態１
図１は本発明の一実施の形態であるカード番号管理装置を含んだ銀行ネットワークシステムを示したブロック図である。この実施の形態においては、カード発行会社として、国内銀行を例に挙げて説明する。図において、１は発行するカードのカード番号の管理等を行うための国内銀行カードセンターであり、本発明のカード番号管理装置を構成しているものである。２は、国内銀行本支店である。ここで、国内銀行本支店２とは、国内銀行の本店もしくは各支店または海外支店を云う。国内銀行本支店２は、例えばＩＳＤＮや専用ケイブル／スイフト回線等の専用通信回線等から構成された第一の通信接続手段５を介して、国内銀行カードセンター１に接続されている。３は顧客であって、国内銀行本支店２または後述する外国業務提携銀行が発行するカードを購入して使用する。１０は外国業務提携銀行で、国内銀行本支店２と業務提携を行っている海外の他銀行を示している。外国業務提携銀行１０は、例えば、ＩＳＤＮ等からなる第二の通信接続手段６を介して、国内銀行カードセンター１に接続されている。なお、ここで、国内銀行本支店２と外国業務提携銀行１０とを総称して、それらを、国内外のカード発行会社の各店舗と呼ぶこととする。
【００１６】
また，国内銀行カードセンター１内には，図１のように，５つのファイル１Ａ〜１Ｅが設けられている。それらについて具体的に説明すれば，１Ａは，カードの発行に使用されていない未使用のカード番号を格納するための未使用カード番号格納手段である未使用カード番号ファイルであり，１Ｂは，未使用カード番号ファイル１Ａから国内銀行本支店２または外国業務提携銀行１０により取り出された未使用のカード番号を格納するための取出済未使用カード番号格納手段である取出済未使用カード番号ファイルである。１Ｃは，現在使用されている使用中のカード番号を，顧客３の氏名，住所，性別，誕生日，身分証明書番号，暗証番号，及び，カード金額等の顧客情報とともに格納するための使用中カード番号格納手段である使用中カード番号ファイルであり，１Ｄは，カードの残高がゼロになった使い終わったカードのカード番号を，上述の顧客情報とともに，格納するための使用済カード番号格納手段である使用済カード番号ファイルである。１Ｅは，カードに有効期限を設定した場合に設けるもので，カードの有効期限が過ぎたにもかかわらず残高があるカードのカード番号，そのカードのためのカード決済専用口座の口座番号及び上述の顧客情報を格納するための睡眠カード番号格納手段である睡眠カード番号ファイルである。また，国内銀行カードセンター１内には，図のように，国内銀行本支店２及び外国業務提携銀行１０との間で信号のやりとりを行うためのインターフェース手段１Ｇが設けられており，また，そのインターフェース手段１Ｇに外部から入力される信号に基づいて内部の処理及び制御を行い，上述した５つのファイル１Ａ〜１Ｅに対してカード番号の格納，取り出し，及び，読み出し等の処理を行うためのＣＰＵ等から構成された処理手段１Ｆが設けられている。なお，必要であれば，インターフェース手段１Ｇと顧客３とをＩＳＤＮ等により接続するようにしてもよい。
【００１７】
さらに，国内銀行カードセンター１内のインターフェース手段１Ｇには，国内銀行本支店２からカード発行報告信号（後述する図２のステップＳ８参照）等の報告信号を受信したとき等に，それらの報告信号を受信したことを知らせる報告受理信号を，国内銀行本支店２に対して，ユーザーの操作を特に必要とせずに，処理手段１Ｆの制御により自動的に発信するための報告受理信号（コンファメイション）自動発信部ｍが設けられている。また，インターフェース手段１Ｇには，さらに，国内銀行本支店２において取り出したものの不要となってしまった未使用カード番号が発生したにもかかわらず，それが国内銀行カードセンター１に返却されていない場合に，その未使用カード番号についての照会を行うための未返却未使用カード番号照会信号を，国内銀行本支店２に対して，ユーザーの操作を特に必要とせずに，処理手段１Ｆの制御により自動的に発信させるための照会信号（トレーサー）自動発信部ｎが設けられている。
【００１８】
また，国内銀行本支店２内には，国内銀行カードセンター１，顧客３及び他の国内銀行本支店との間で信号のやりとりを行うためのユーザーインターフェース手段２Ａと，ユーザーインターフェース手段２Ａに外部から入力された信号に基づいて，内部の処理及び制御を行うためのＣＰＵ等から構成された処理手段２Ｂと，以下に示す２つのファイル２Ｃ及び２Ｄとが，設けられている。その２つのファイル２Ｃ及び２Ｄのうちの一方は，本支店側取出済未使用カード番号ファイル２Ｃであり，これは，国内銀行カードセンター１内の未使用カード番号ファイル１Ａから取り出した未使用カード番号を格納するためのものである。もう一方のファイルは，本支店側使用中カード番号ファイル２Ｄであり，これは，国内銀行本支店２がその取出済未使用カード番号ファイル２Ｃに格納された未使用カード番号を取り出して，そのカード番号のカードを発行したときに，カード発行に用いられたそのカード番号及び顧客情報を格納するためのものである。さらに，国内銀行本支店２には，上記の未使用カード番号を用いて，カードの印刷作製及び発行を行うためのカード発行手段（図示せず，図８の２２参照）が設けられている。
【００１９】
また，国内銀行本支店２のユーザーインターフェース手段２Ａには，後述するカード発行報告信号（図２のステップＳ８参照）や不要未使用カード番号返却報告信号（図２のステップＳ１２参照）等の種々の報告信号を，ユーザーの操作を特に必要とせずに，処理手段２Ｂの制御により自動的に発信させるための報告信号自動発信部（図示せず）が設けられている。
【００２０】
次に，図１の銀行ネットワークシステムの動作について説明する。図２は，動作フローを示したタイミング図である。なお，図１及び図２に記載されている動作フローの各ステップを示すＳ１等の符号は図１及び図２において互いに対応している。まずはじめに，国内銀行カードセンター１と国内銀行本支店２との間のやりとりについて説明する。国内銀行本支店２は，顧客３からカード発行依頼の申込を受けると（ステップＳ１），ユーザーインターフェース手段２Ａ，第一の通信接続手段５及びインターフェース手段１Ｇを介して，国内銀行カードセンター１内の処理手段１Ｆの制御に基づいて，国内銀行カードセンター１の未使用カード番号ファイル１Ａから未使用カード番号を取り出し（ステップＳ２），同時に，国内銀行本支店２内の本支店側取出済未使用カード番号ファイル２Ｃにその未使用カード番号を一時的に保存する（ステップＳ３）。なお，このとき，顧客３は，カード金額に相当する金額を国内銀行本支店２に支払うとともに，カード発行依頼の申込に必要な顧客情報，すなわち，顧客３の氏名，住所，性別，誕生日，身分証明書番号，暗証番号，及び，カード金額等の情報を申し込み用紙に記載する等して申し込む。一方，未使用カード番号を取り出された国内銀行カードセンター１は，処理手段１Ｆの制御により，その未使用カード番号を自動的に取出済未使用カード番号ファイル１Ｂに移入し（ステップＳ４），それと同時に，国内銀行本支店２の店舗データを作成する。
【００２１】
次に，国内銀行本支店２は，本支店側取出済未使用カード番号ファイル２Ｃに一時的に保存した上記の未使用カード番号を取り出してカードを発行する（ステップＳ５）。また，それと同時に，国内銀行本支店２は，そのカード発行に用いられた未使用カード番号を，顧客３の氏名，住所，性別，誕生日，身分証明書番号，暗証番号，及び，カード金額等の顧客情報とともに，本支店側使用中カード番号ファイル２Ｄに入力する（ステップＳ６）。次に，国内銀行本支店２は，上述のようにして発行したカードを顧客３に供給する（ステップＳ７）とともに，本支店側使用中カード番号ファイル２Ｄからカード発行に用いられたカード番号を読み出して，ユーザーインターフェース手段２Ａに設けられた報告信号自動発信部により，第一の通信接続手段５を介して，国内銀行カードセンター１へ，そのカード番号及び顧客情報とともにカードを発行した旨を知らせるカード発行報告信号を送信する（ステップＳ８）。このようにして供給されたカードは外国為替交換性があるので，顧客３は，外国でも，カード金額の範囲内で、買い物やホテル代やサービス等の支払いに利用することができる。
【００２２】
一方，上述のステップＳ８によりカード番号及び顧客情報と共にカード発行報告信号を受信した国内銀行カードセンター１内においては，その受信したカード発行報告信号に基づいて，処理手段１Ｆの制御により，その受信したカード番号が，取出済未使用カード番号ファイル１Ｂから使用中カード番号ファイル１Ｃに自動的に移管され（ステップＳ９）、また，それと同時に，その発行されたカードのためのカード決済専用口座が所定の国内銀行本支店２内に開設される（ステップＳ１０）。また，上記のステップＳ８によるカード発行報告信号を国内銀行カードセンター１が受信した旨を知らせる，報告受理信号を，自動的に，インターフェース手段１Ｇ内に設けられた報告受理信号（コンファメイション）自動発信部ｍにより，第一の通信接続手段５を介して，国内銀行カードセンター１から国内銀行本支店２に送信する（ステップＳ１１）。
【００２３】
次に、国内銀行本支店２が、国内銀行カードセンター１内の未使用カード番号ファイル１Ａから未使用カード番号を取り出したにもかかわらず、そのカード番号が不要となり、使用しなかった場合について説明する。まず、国内銀行本支店２は、本支店側取出済未使用カード番号ファイル２Ｃの中のその不要となった未使用カード番号を、営業終業時またはそれ以前に、国内銀行カードセンター１に返却するとともに、その不要となった未使用カード番号を返却した旨を知らせる不要未使用カード番号返却報告信号を、ユーザーインターフェース手段２Ａに設けられた報告信号自動発信部により、送信する（ステップＳ１２）。国内銀行カードセンター１内においては、その不要未使用カード番号返却報告信号に基づいて、処理手段１Ｆの制御により、取出済未使用カード番号ファイル１Ｂからそのカード番号を自動的に未使用カード番号ファイル１Ａに再使用のために返戻する（ステップＳ１３）。次に、国内銀行カードセンター１は、インターフェース手段１Ｇ内に設けられた報告受理信号（コンファメイション）自動発信部ｍにより、国内銀行本支店２から送信されてきた上記の不要未使用カード番号返却報告信号を受信した旨を知らせる報告受理信号を発信する（ステップＳ１４）。
【００２４】
また，国内銀行カードセンター１内の取出済未使用カード番号ファイル１Ｂ中に未使用カード番号が格納されたまま所定時間が経過した場合には，すなわち，国内銀行カードセンター１内の未使用カード番号ファイル１Ａから国内銀行本支店２によって未使用カード番号が取り出されたものの，所定時間経過しても，国内銀行本支店２からカード発行報告信号（ステップＳ８参照）または不要未使用カード番号返却報告信号（ステップＳ１２）のいずれもが送信されて来ない場合には，直ちに，国内銀行カードセンター１は，国内銀行本支店２対して，インターフェース手段１Ｇ内に設けられた照会信号（トレーサー）自動発信部ｎにより，返却されない未使用カード番号の照会のための未返却未使用カード番号照会信号を発信する（ステップＳ１５）。それを受信した国内銀行本支店２は，その照会を受けた未使用カード番号について調べて，それが未使用であった場合には，直ちに，その未使用カード番号を国内銀行カードセンター１に，第一の通信接続手段５を介して返却するとともに，未返却だった未使用カード番号を返却した旨を知らせる返却報告信号を，ユーザーインターフェース手段２Ａに設けられた報告信号自動発信部により，処理手段２Ｂの制御に基づいて，国内銀行カードセンター１に対して発信する（ステップＳ１６）。国内銀行カードセンター１内においては，その返却報告信号に基づいて，処理手段１Ｆの制御により，取出済未使用カード番号ファイル１Ｂからそのカード番号が自動的に未使用カード番号ファイル１Ａに再使用のために返戻される（ステップＳ１７）。次に，国内銀行カードセンター１は，インターフェース手段１Ｇ内に設けられた報告受理信号（コンファメイション）自動発信部ｍにより，第一の通信接続手段５を介して，上記のステップＳ１６による返却報告信号を受信した旨を知らせる報告受理信号を発信する（ステップＳ１８）。
なお，上記のように照会を受けた未使用カード番号についてサーチした結果，それが使用されているにもかかわらず，何らかの手違い等により国内銀行カードセンター１にカード発行報告信号等の連絡信号が送信されていなかった場合等には，直ちに，国内銀行本支店２は，そのカード番号が現在どのような状態であるかを知らせる信号を国内銀行カードセンター１に対して発信する。
【００２５】
なお、未返却未使用カード番号照会信号（ステップＳ１５参照）を発信させるタイミングを、国内銀行カードセンター１内の取出済未使用カード番号ファイル１Ｂに未使用カード番号を格納した後、所定時間経過したときにする例について説明したが、その場合に限らず、例えば、国内銀行本支店２は、上述したように、不要となった未使用カード番号については営業終業時またはそれ以前に国内銀行カードセンター１に返却することになっているため、それを利用して、営業終業時後にまとめて行うようにしてもよい。
【００２６】
また，国内銀行カードセンター１から，上述した報告受理信号（ステップＳ１１，Ｓ１４，Ｓ１８）が所定時間経過しても送信されて来ない場合には，何らかの手違いにより，ステップＳ８のカード発行報告信号，ステップＳ１２の不要未使用カード番号返却報告信号，または，ステップＳ１６の返却報告信号が，国内銀行カードセンター１に到着していない可能性が高いため，国内銀行本支店２は再度，それらの報告信号を国内銀行カードセンター１に送信する。また，数回にわたり送信を繰り返し行っても報告受理信号が送信されてこない場合には，国内銀行カードセンター１内に何らかの異常が発生している場合であるため，その異常を国内銀行本支店２内の係員に知らせるために，例えば，アラーム音を発生させる，または，処理手段２Ｂに接続されたディスプレイ等の表示手段（図示せず）にメッセージ等を表示させるための異常報知手段を設けるようにしてもよい。なお，国内銀行カードセンター１にも，同様の異常報知手段を設けるようにしてもよい。
【００２７】
次に、国内銀行カードセンター１内の使用中カード番号ファイル１Ｃ内に格納されているカード番号のカードの残高がゼロになった場合の動作について説明する。国内銀行本支店２内に開設されているカード決済専用口座はカード元金以外は入金出来ないので、残高がゼロになると当該口座は自動的に閉鎖され、同口座は使用不可となる。従って残高がゼロになると当該カード決済専用口座の閉鎖通知信号が国内銀行本支店２から国内銀行カードセンター１へ送信されて来るので、同カードセンターにおいてはその信号に基づいて処理手段１Ｆの制御により使用済みとなった当該カード番号は顧客情報と共に使用中カード番号ファイル１Ｃから使用済カード番号ファイル１Ｄへ自動的に移管される（図１のステップＳ３０）。また、このようにして使用済カード番号ファイル１Ｄ内へ移管されたカード番号は、移管後１０年経過した時点で、再使用のために、未使用カード番号ファイル１Ａに返戻される。
【００２８】
また，国内銀行カードセンター１内の使用中カード番号ファイル１Ｃ内に格納されているカード番号のカードにおいて，残高があるにもかかわらず，カードの有効期限が過ぎてしまった場合の動作について説明する。国内銀行ガードセンター１は，カードの有効期限が経過すると，処理手段１Ｆの制御により直ちにそれを検知して，そのカードのカード番号を顧客情報と共に使用中カード番号ファイル１Ｃから睡眠カード番号ファイル１Ｅへ移管する（図１のステップＳ３２）。また，それと同時に，国内銀行本支店２へ当該有効期限切れカードのカード決済専用口座残高を睡眠口座へ移管するよう指示信号を発信し，また，同時に，カードの有効期限が経過した旨を知らせる通知書を顧客３に郵送する（図１のステップＳ３４）。また，そのカード番号は、睡眠カード番号ファイル１Ｅへ移管した後１０年経過した時点で、再使用のために、未使用カード番号ファイル１Ａに返戻され、また、それと同時に、カード決済専用口座の残高は、国内銀行カードセンター１の損益勘定に移されて利益処分される。なお、後日、顧客３から、上記のように利益処分された残高について請求があった場合には、国内銀行カードセンター１は、その請求に応じて、直ちにその請求された金額を顧客３に支払う。
【００２９】
また、営業終業時前に、国内銀行本支店２は、国内銀行カードセンター１から受信した報告受理信号（ステップＳ１１，Ｓ１４，Ｓ１８参照）及び未返却未使用カード番号照会信号（ステップＳ１５）等を、当該本支店２が発信したカード発行報告信号（ステップＳ８）、不要未使用カード番号返却報告信号（ステップＳ１２）及び返却報告信号（ステップＳ１６）、並びに、顧客３からのカード発行依頼の申込の内容等と比較照合する確認業務のための内部監査（ステップＳ３５）を行う。内部監査の結果、何らかの問題が生じていた場合には、直ちに、その旨を国内銀行カードセンター１に連絡する。また、国内銀行カードセンター１及び外国業務提携銀行１０も、営業終業時前に同様な内部監査を行う。（ステップＳ３５）。以上が、国内銀行カードセンター１と国内銀行本支店２との間のやりとりについての説明である。
【００３０】
次に、国内銀行カードセンター１と外国業務提携銀行１０との間のやりとりの動作について説明する。図２に示すように、外国業務提携銀行１０は、顧客３からカード発行依頼の申込を受けると（ステップＳ２０）、それに基づいて、カードを発行することについての承諾を要請するカード発行承諾要請信号を、カード金額及び他の顧客情報とともに、第二の通信接続手段６を介して、国内銀行カードセンター１に発信する（ステップＳ２１）。それを受けた国内銀行カードセンター１は、未使用カード番号ファイル１Ａから未使用カード番号を取り出し、処理手段１Ｆの制御により、自動的に、使用中カード番号ファイル１Ｃに移入するとともに（ステップＳ２２）、カード決済専用口座を国内銀行本支店２内に開設する（ステップＳ２３）。また、それと同時に、国内銀行カードセンター１は、第二の通信接続手段６を介して、外国業務提携銀行１０に、カード発行承諾を知らせるカード発行承諾信号とともにその取り出した未使用カード番号を送信してカード番号を付与する（ステップＳ２４）。その未使用カード番号を受信した外国業務提携銀行１０は、それに基づいて、他銀行支払いカードを発行して（ステップＳ２５）、顧客３に供給する（ステップＳ２６）。このとき、発行したカードの表面に、外国業務提携銀行１０のロゴマークとともに、国内銀行本支店２を支払い指定銀行として印刷表示して発行するようにしても良い。
【００３１】
なお、本発明のカード番号管理装置は、以上のように構成されて、銀行やカード会社等の種々のカードのカード発行業務におけるカード番号の管理に適用することができ、特に、業務提携を結んでいる国内外の銀行はこの装置を使用することによって、不特定多数の海外旅行者に対して自国通貨のみならず他銀行支払いの色々な外国通貨の旅行カードを短時間で大量に発行することが出来、かつ、カード発行業務を効率的に行うことが出来る。
【００３２】
以上のように、本発明のカード番号管理装置においては、未使用カード番号ファイル１Ａ、取出済未使用カード番号ファイル１Ｂ、使用中カード番号ファイルＩＣ、使用済カード番号ファイル１Ｄ及び睡眠カード番号ファイル１Ｅを設けて、処理手段１Ｆの制御によりカード番号のそれぞれの状態に合わせて逐次自動的にいずれかのファイル１Ａ〜１Ｅ内に移管させて格納するようにしたので、カード番号を合理的かつ効率的に管理することができるとともに、カードの発行が必要になったときに、国内銀行本支店２及び外国業務提携銀行１０が、随時、国内銀行カードセンター１内の未使用カード番号ファイル１Ａから未使用カード番号を取り出すことにより、国内銀行本支店２及び外国業務提携銀行１０においてのカードの発行が可能になったため、短時間でカードを発行することができる。
【００３３】
さらに、インターフェース手段１Ｇに、国内銀行本支店２からの種々の報告信号を受理したことを知らせる報告受理信号を自動的に発信するための報告受理信号（コンファメイション）自動発信部ｍと、未返却未使用カード番号の照会を行うための未返却未使用カード番号照会信号を自動的に発信するための照会信号（トレーサー）自動発信部ｎとを設けたので、ユーザーは特に操作することなく、自動的に、それらの信号を国内銀行本支店２に送信することができ、カード発行確認業務及びカード番号の管理等を確実に行うことができる。
【００３４】
また、国内銀行本支店２は、カード番号を国内銀行カードセンター１内の未使用カード番号ファイル１Ａから必要に応じて随意に取り出すことができるので、顧客３の要望に直ちに応えることができ、かつ、カードを短時間に大量に発行することができる。
【００３５】
さらに、国内銀行本支店２は、国内銀行カードセンター１から受信した報告受理信号（ステップＳ１１、Ｓ１４、Ｓ１８参照）及び未返却未使用カード番号照会信号（ステップＳ１５）等を、自分が発信したカード発行報告信号（ステップＳ８）、不要未使用カード番号返却報告信号（ステップＳ１２）及び返却報告信号（ステップＳ１６）、並びに、顧客３からのカード発行依頼の申込の内容等と比較照合して、確認業務を行うようにしたので、カード発行業務の内部監査を簡単かつ確実に行うことができる。
【００３６】
また、外国業務提携銀行１０は、国内銀行カードセンター１へ、カード発行承諾要請信号及び顧客情報等を第二の通信接続手段６を介して発信して、国内銀行カードセンター１からカード番号をもらい、それにより、国内銀行本支店２支払いのカードを発行する（ステップＳ２５）ことができるので、海外に顧客３が旅行するときに急にカードが必要になった場合でも、顧客３の要請に応じて、すぐに旅行目的国の有力銀行本支店支払いのカードを発行し提供することができる（ステップＳ２６）。
【００３７】
実施の形態２．
図３は、本発明の他の実施の形態におけるカード番号管理装置を含んだカード番号管理システムを示したブロック図である。この実施の形態においては、カード発行会社として、国内銀行本支店２及びこれと業務提携を行っている海外の他銀行である外国業務提携銀行を例に挙げて説明する。図において、１は上述の実施の形態１で説明した国内銀行カードセンターであり、後述するカード発行装置とカード番号管理装置とを接続しているこの実施の形態における中継装置を構成している。２は、国内銀行本支店であり、この実施の形態におけるカード発行装置を構成している。この実施の形態においては、国内銀行本支店２は、例えばスイフトや専用ケイブル／ＩＳＤＮ回線等の専用通信回線等から構成された第三の通信接続手段８を介して、国内銀行カードセンター１に接続されている。３は顧客であって、国内銀行本支店２発行の外国業務提携銀行支払いカードを購入して使用する。４は外国業務提携銀行カードセンターであり、発行するカードのカード番号の管理等を行うカード母体銀行カードセンターであり、この実施の形態におけるカード番号管理装置を構成している。外国業務提携銀行カードセンター４は、例えば、スイフト等からなる第四の通信接続手段７を介して、国内銀行カードセンター１に接続されている。１０は、外国業務提携銀行本支店であり、これもカード発行装置として機能し得るものである。なお、外国業務提携銀行本支店１０がカード発行装置として機能する場合には、外国業務提携銀行カードセンター４が中継装置となり、国内銀行カードセンター１がカード番号管理装置いわゆるカード母体銀行カードセンターとなる。外国業務提携銀行本支店１０は、例えば、スイフト等からなる第五の通信接続手段９を介して外国業務提携銀行カードセンター４に接続されている。
【００３８】
外国業務提携銀行カードセンター４内には、図３に示すように、５つのファイル４Ａ〜４Ｅが設けられている。これらの５つのファイルは、それぞれ、４Ａが外銀側未使用カード番号ファイルで、４Ｂが外銀側取出済未使用カード番号ファイルで、４Ｃが外銀側使用中カード番号ファイルで、４Ｄが外銀側使用済カード番号ファイルで、４Ｅが外銀側睡眠カード番号ファイルである。なお、これらのファイル４Ａ〜４Ｅは、上述した図１の実施の形態１におけるファイル１Ａ〜１Ｅと同様の機能及び構成を有するものであるため、ここでは詳しい説明は省略する。また、外国業務提携銀行カードセンター４内には、図のように、国内銀行カードセンター１及び外国業務提携銀行本支店１０との間で信号のやりとりを行うためのインターフェース手段４Ｇが設けられている。また、そのインターフェース手段４Ｇに外部から入力される信号に基づいて、内部の処理及び制御を行い、上述した５つのファイル４Ａ〜４Ｅに対してカード番号の格納、取り出し、及び、読み出し等の処理を行うためのＣＰＵ等から構成された処理手段４Ｆが設けられている。なお、必要であれば、インターフェース手段４Ｇと顧客３とをＩＳＤＮ等により接続するようにしてもよい。
【００３９】
国内銀行本支店２の構成は、図１に示したものとほぼ同じであるため、同一符号を付して示し、ここではその説明は省略する。ただし、この実施の形態においては、２Ｃ及び２Ｄのファイルの他に、もう一つのファイル２Ｅが設けられている。このファイル２Ｅは、国内銀行本支店側未承認カード番号ファイルであり、国内銀行本支店２が国内銀行本支店側取出済未使用カード番号ファイル２Ｃに格納された未使用カード番号を取り出してそのカード番号のカードを発行したときに、カード発行に用いられたそのカード番号及び顧客情報等のカードデータを一時的に格納するためのものである。国内銀行本支店側未承認カード番号ファイル２Ｅに格納されたカードデータは、特定の役職者等により承認された後に、国内銀行本支店側使用中カード番号ファイルに格納される。また、国内銀行本支店２内には、国内銀行本支店側取出済未使用カード番号ファイル２Ｃ内の未使用カード番号を用いてカードの印刷作製及び発行を行うためのカード発行手段（図示せず、図８の２２参照）が設けられている。
【００４０】
さらに、外国業務提携銀行カードセンター４内のインターフェース手段４Ｇには、国内銀行本支店２からカード発行報告信号（後述する図４のステップＳＦ１０参照）等の報告信号を受信したとき等に、それらの報告信号を受信したことを知らせる報告受理信号を、国内銀行本支店２に対して、ユーザーの操作を特に必要とせずに、処理手段４Ｆの制御により自動的に発信するための報告受理信号（コンファメイション）自動発信部４ｍが設けられている。また、インターフェース手段４Ｇには、さらに、国内銀行本支店２において取り出したものの不要となってしまった未使用カード番号が発生したにもかかわらず、それが外国業務提携銀行カードセンター４に返却されていない場合に、その未使用カード番号についての照会を行うための未返却未使用カード番号照会信号を、国内銀行本支店２に対して、ユーザーの操作を特に必要とせずに、処理手段４Ｆの制御により自動的に発信させるための照会信号（トレーサー）自動発信部４ｎが設けられている。
【００４１】
国内銀行カードセンター１内には、上述の図１の実施の形態１で説明したように、５つのファイル１Ａ〜１Ｅが設けられているが（ここでは図示せず、図１参照）、この実施の形態においては、さらに、３つのファイル１Ｊ、１Ｋ、１Ｌ、が設けられている。それらについて具体的に説明すれば、１Ｊは国内銀行カードセンター１側取出済未使用外銀カード番号ファイルであり、これは、国内銀行本支店２が外国業務提携銀行カードセンター４の未使用カード番号ファイル４Ａから取り出した未使用カード番号を格納するためのものである。１Ｋは国内銀行カードセンター側承認済外銀カード番号ファイルであり、これは、国内銀行本支店２がその取出済未使用カード番号ファイル２Ｃに格納された未使用カード番号を取り出してそのカード番号のカードを発行してカード発行報告信号（図４のステップＳＦ１０参照）を送信してきたときに、カード発行に用いられたそのカード番号及び顧客情報等のカードデータを一時的に格納するためのものである。この国内銀行カードセンター側承認済外銀カード番号ファイル１Ｋには、国内銀行本支店２から承認次第送信されてくるカードデータ及びカード番号を順次集積格納していき、終業時前に処理手段１Ｐの制御によりそれらをまとめて外国業務提携銀行カードセンター４へ送信する。個々のカードデータ及びカード番号を順次送信するよりも、このようにまとめて送信する方法にすることにより、より効率的に送信を行うことができ、また、送信における混乱等のトラブルを防止することができる。１Ｌは国内銀行カードセンター側使用中外銀カード番号ファイルであり、これは、終業時前に、国内銀行カードセンター側承認済外銀カード番号ファイル１Ｋに格納されているすべてのカードデータ及びカード番号等がカード発行報告信号を外国業務提携銀行カードセンター４へ発信されると同時に、それらのデータを格納し記録保存するためのものである。
【００４２】
また、国内銀行カードセンター１内には、さらに、国内銀行カードセンター１と外国業務提携銀行カードセンター４との間で信号のやりとりを行うためのユーザーインターフェース手段１Ｈが設けられている。また、そのユーザーインターフェース手段１Ｈに入力される信号に基づいて、内部の処理及び制御を行い、上述した３つのファイル１Ｊ〜１Ｌに対してカード番号の格納、取り出し、及び、読み出し等の処理を行うためのＣＰＵ等から構成された処理手段１Ｐが設けられている。また同様に、国内銀行カードセンター１と国内銀行本支店２との間で信号のやりとりを行うためのインターフェース手段１Ｎが設けられている。そのインターフェース手段１Ｎに入力される信号に基づいて、内部の処理及び制御を行い、上述した３つのファイル１Ｊ〜１Ｌに対してカード番号の格納、取り出し、及び、読み出し等の処理を行うためのＣＰＵ等から構成された処理手段１Ｍが設けられている。インターフェース手段１Ｎには、国内銀行本支店２からカード発行報告信号等の報告信号を受信したとき等に、それらの報告信号を受信したことを知らせる報告受理信号を、国内銀行本支店２に対して、ユーザーの操作を特に必要とせずに、処理手段１Ｍの制御により自動的に発信するための報告受理信号（コンファメイション）自動発信部１ｍが設けられている。また、インターフェース手段１Ｎには、さらに、国内銀行本支店２において取り出したものの不要となってしまった未使用カード番号が発生したにもかかわらず、それが国内銀行カードセンター１に返却されていない場合に、その未使用カード番号についての照会を行うための未返却未使用カード番号照会信号を、国内銀行本支店２に対して、ユーザーの操作を特に必要とせずに、処理手段１Ｍの制御により自動的に発信させるための照会信号（トレーサー）自動発信部１ｎが設けられている。
【００４３】
また、外国業務提携銀行本支店１０内には、外国業務提携銀行カードセンター４や顧客３との間で信号のやりとりを行うためのユーザーインターフェース手段１０Ａと、ユーザーインターフェース手段１０Ａに外部から入力された信号に基づいて、内部の処理及び制御を行うためのＣＰＵ等から構成された処理手段１０Ｂと、以下に示す３つのファイル１０Ｃ、１０Ｄ及び１０Ｅとが、設けられている。その３つのファイルについて説明すれば、１０Ｃが外銀本支店側取出済未使用カード番号ファイルであり、これは、外国業務提携銀行カードセンター４内の未使用カード番号ファイル４Ａから取り出した未使用カード番号を格納するためのものである。１０Ｄは、外銀本支店側未承認カード番号ファイルであり、これは、外国業務提携銀行本支店１０がその取出済未使用カード番号ファイル１０Ｃに格納された未使用カード番号を取り出して、そのカード番号のカードを発行したときに、カード発行に用いられたそのカード番号及び顧客情報を一時的に格納するためのものである。１０Ｅは外国業務提携銀行本支店側使用中カード番号ファイルであり、これは、外国業務提携銀行本支店側未承認カード番号ファイル１０Ｄに格納されたカードデータが特定の役職者等により承認された後に入力されて、それを記録保存し格納するためのものである。
【００４４】
また、外国業務提携銀行本支店１０のユーザーインターフェース手段１０Ａには、後述するカード発行報告信号や不要未使用カード番号返却報告信号等の種々の報告信号を、ユーザーの操作を特に必要とせずに、処理手段１０Ｂの制御により自動的に発信させるための報告信号自動発信部（図示せず）が設けられている。
【００４５】
次に、図３のカード番号管理システムの動作について説明する。ここでは、外国業務提携銀行カードセンター４と国内銀行本支店２との間のやりとりについて説明する。図４は、この動作の説明のために、図３から外国業務提携銀行カードセンター４と国内銀行カードセンター１と国内銀行本支店２とだけを抜き出して示したものである。図５は、それらにおけるカード発行動作のフローを示したタイミング図である。なお、図３、図４及び図５に記載されている動作フローの各ステップを示すＳＦ１及びＳＨ１等の符号はそれらの図において互いに対応している。国内銀行本支店２は、顧客３からカード発行依頼の申込を受けると（ステップＳＦ１）、国内銀行カードセンター１を介して、外国業務提携銀行カードセンター４に未使用カード番号を取り出すための信号を送信して、外国業務提携銀行カードセンター４の未使用カード番号ファイル４Ａから、外国業務提携銀行カードセンター４内の処理手段４Ｆの制御に基づいて、未使用カード番号を取り出す（ステップＳＦ２）。なお、このとき、顧客３は、カード金額に相当する金額を国内銀行本支店２に支払うとともに、カード発行依頼の申込に必要な顧客情報、すなわち、顧客３の氏名、住所、性別、誕生日、身分証明書番号、暗証番号、及び、カード金額等の情報を申し込み用紙に記載する等して申し込む。
【００４６】
未使用カード番号を取り出された外国業務提携銀行カードセンター４は、取り出された未使用カード番号を、処理手段４Ｆの制御により、自動的に、外国業務提携銀行カードセンター４内の取出済未使用カード番号ファイル４Ｂに移入すると同時に国内銀行名のデータが記録される（ステップＳＦ３）。また、当該番号は、国内銀行カードセンター１側においても、国内銀行カードセンター側取出済未使用外銀カード番号ファイル１Ｊに自動的に入力されて（ステップＳＦ４）各支店毎にデータ記録される。また、それと同時に、当該番号は、国内銀行カードセンター１から国内銀行本支店２へ自動的に送付される（ステップＳＦ５）。当該番号は、国内銀行本支店２において、国内銀行本支店側取出済未使用カード番号ファイル２Ｃに一時的に保存される（ステップＳＦ６）。国内銀行本支店２の銀行員は、国内銀行本支店側取出済未使用カード番号ファイル２Ｃから当該番号を取り出し、顧客申込書に基づいてカードデータを作成して、そのデータを国内銀行本支店側未承認カード番号ファイル２Ｅに一時入力する（ステップＳＦ７）。国内銀行本支店２の役職者は、国内銀行本支店側未承認カード番号ファイル２Ｅからカードデータを呼び出して、当該カードデータを確認し、承認するとともに、国内銀行本支店側使用中カード番号ファイル２Ｄへ入力及び記録保存する（ステップＳＦ８）とともに、その番号の外銀支払いカードを作製発行して、同カードを顧客３に渡す（ステップＳＦ９）。
【００４７】
次に、国内銀行本支店２は、本支店側使用中カード番号ファイル２Ｄからカード発行に用いられたカード番号を読み出して、ユーザーインターフェース手段２Ａに設けられた報告信号自動発信部（図示せず）により、第三の通信接続手段８を介して、国内銀行カードセンター１へ、そのカード番号及び顧客情報等のカード発行データとともにカードを発行した旨を知らせるカード発行報告信号を送信する（ステップＳＦ１０）。なお、上述のようにして供給された外銀支払いカードにより、顧客３は、外国においても、カード金額の範囲内で、買い物やホテル代やサービス等の支払いに利用することができる。
【００４８】
一方、上述のステップＳＦ１０によりカード番号及び顧客情報等のカード発行データとともにカード発行報告信号を受信した国内銀行カードセンター１内においては、その受信したカード発行報告信号に基づいて、処理手段１Ｍの制御により、その受信したカード番号を、取出済未使用外銀カード番号ファイル１Ｊから承認済カード番号ファイル１Ｋに入力し、終業時直前まで順次集積する（ステップＳＦ１１）。なお、当然のことながら、このとき、取出済未使用外銀カード番号ファイル１Ｊ内の当該カード番号は自動的に消去される。国内銀行カードセンター１は、承認済外銀カード番号ファイル１Ｋに順次入力された全集積カード発行データに関わるカード発行報告信号を、終業時直前に外国業務提携銀行カードセンター４に送信する（ステップＳＦ１２）。また、それと同時に、それらの全集積カード発行データを、承認済外銀カード番号ファイル１Ｋから、使用中外銀カード番号ファイル１Ｌに移入して記録保存する（ステップＳＦ１３）。一方、カード発行報告信号を受信した外国業務提携銀行カードセンター４は、当該カード発行報告信号に基づいて、取出済未使用カード番号ファイル４Ｂ中の当該カード番号を消去し、同カード番号及び顧客情報等を使用中カード番号ファイル４Ｃに入力し、記録保存する（ステップＳＦ１４）。外国業務提携銀行カードセンター４はその発行された当該カード番号のカードのためのカード決済専用口座を同銀行本支店１０に開設させるための信号を送信し、同銀行本支店１０が同口座を開設する（ステップＳＦ１５）。また、上記のステップＳＦ１２によるカード発行報告信号を外国業務提携銀行カードセンター４が受信した旨を知らせる報告受理信号を自動的にインターフェース手段４Ｇ内に設けられた報告受理信号（コンファメイション）自動発信部４ｍにより、第四の通信接続手段７を介して、外国業務提携銀行カードセンター４から国内銀行カードセンター１に送信する（ステップＳＦ１６）。国内銀行カードセンター１は、ステップＳＦ１６で受信した報告受理信号をインターフェース手段１Ｎ内に設けられた報告受理信号（コンファメイショ）自動発信部１ｍにより、第三の通信接続手段８を介して、自動的に、国内銀行本支店２に送信する（ステップＳＦ１７）。
【００４９】
また、営業終業時前に、外国業務提携銀行カードセンター４、国内銀行カードセンター１及び国内銀行本支店２は、顧客３からのカード発行依頼の申込の内容、カード発行報告信号（ステップＳＦ１０、１２）、報告受理信号（ステップＳＦ１６、１７；後述する図６のステップＳＦ２１、２２；ステップＳＦ２８、２９参照）、不要未使用カード番号返却報告信号（図６のステップＳＦ１８、１９）、未返却未使用カード番号照会信号（ステップＳＦ２４）、顧客３へのカード販売代金及び手数料等の経理処理、及び、同報告受理信号（図示せず）等に関して、内部監査を行う（ステップＳＦ３０）。内部監査の結果、何らかの問題が生じていた場合には、国内銀行本支店２は、直ちに、その旨を、国内銀行カードセンター１及び外国業務提携銀行カードセンター４に連絡する。
【００５０】
次に、国内銀行本支店２が、外国業務提携銀行カードセンター４内の未使用カード番号ファイル４Ａから未使用カード番号を取り出したにもかかわらず、そのカード番号が不要となり、使用しなかった場合について説明する。図６は、そのときの動作のフローを示したタイミング図である。まず、国内銀行本支店２は、本支店側取出済未使用カード番号ファイル２Ｃの中の不要となった未使用カード番号を、営業終業時またはそれ以前に、国内銀行カードセンター１に送信するとともに、その不要となった未使用カード番号を送信した旨を知らせる不要未使用カード番号返却報告信号を、ユーザーインターフェース手段２Ａに設けられた報告信号自動発信部により送信する（ステップＳＦ１８）。  国内銀行カードセンター１内においては、その返却報告信号を外国業務提携銀行カードセンター４に送信するとともに（ステップＳＦ１９）、当該信号に基づいて、処理手段１Ｍの制御により、取出済未使用外銀カード番号ファイル１Ｊからそのカード番号を自動的に消去する。外国業務提携銀行カードセンター４は、受信した当該信号に基づいて、処理手段４Ｆの制御により、取出済未使用カード番号ファイル４Ｂからそのカード番号を自動的に未使用カード番号ファイル４Ａに再使用のために返戻する（ステップＳＦ２０）。次に、外国業務提携銀行カードセンター４は、インターフェース手段４Ｇ内に設けられた報告受理信号（コンファメイション）自動発信部４ｍにより、国内銀行本支店２から国内銀行カードセンター１を介して送信されてきた上記の不要未使用カード番号返却報告信号を受信した旨を知らせる報告受理信号を発信する（ステップＳＦ２１）。国内銀行カードセンター１は、当該信号を受信したら、当該番号を、インターフェース手段１Ｎ内に設けられた報告受理信号（コンファメイション）自動発信部１ｍにより、自動的に、国内銀行本支店２に転送する（ステップＳＦ２２）。
【００５１】
次に、使用されないまま未返却のカード番号が発生した場合の動作について説明する。すなわち、外国業務提携銀行カードセンター４内の取出済未使用カード番号ファイル４Ｂ中に未使用カード番号が格納されたまま所定時間が経過した場合には、すなわち、外国業務提携銀行カードセンター４内の未使用カード番号ファイル４Ａから国内銀行本支店２によって未使用カード番号が取り出されたものの、所定時間経過しても、国内銀行本支店２からカード発行報告信号（図５のステップＳＦ１０、１２参照）または不要未使用カード番号返却報告信号（図６のステップＳＦ１８、１９）のいずれもが送信されて来ない場合には、直ちに、外国業務提携銀行カードセンター４は、国内銀行本支店２に対して、国内銀行カードセンター１を介して、インターフェース手段４Ｇ内に設けられた照会信号（トレーサー）自動発信部４ｎにより、返却されない未使用カード番号の照会のための未返却未使用カード番号照会信号を発信する（ステップＳＦ２３、２４）。
【００５２】
当該信号を受信した国内銀行本支店２は、その照会を受けた未使用カード番号について調べて、それが未使用であった場合には、直ちに、その未使用カード番号を国内銀行カードセンター１を介して、外国業務提携銀行カードセンター４に返却するとともに、未返却だった未使用カード番号を返却した旨を知らせる返却報告信号を、ユーザーインターフェース手段２Ａに設けられた報告信号自動発信部（図示せず）により、処理手段２Ｂの制御に基づいて、国内銀行カードセンター１を介して外国業務提携銀行カードセンター４に対して発信する（ステップＳＦ２５、２６）。なお、このとき、国内銀行カードセンター１内においては、その返却報告信号に基づいて、処理手段１Ｍの制御により、取出済未使用外銀カード番号ファイル１Ｊからそのカード番号が自動的に消去される。一方、外国業務提携銀行カードセンター４内においては、受信した当該返却報告信号に基づいて、処理手段４Ｆの制御により、取出済未使用カード番号ファイル４Ｂからそのカード番号が自動的に未使用カード番号ファイル４Ａに再使用のために返戻される（ステップＳＦ２７）。
【００５３】
次に、外国業務提携銀行カードセンター４は、インターフェース手段４Ｇ内に設けられた報告受理信号（コンファメイション）自動発信部４ｍにより、国内銀行カードセンター１を介して、国内銀行本支店２に、上記のステップＳＦ２５、２６による返却報告信号を受信した旨を知らせる報告受理信号を発信する（ステップＳＦ２８、２９）。なお、上記のように照会を受けた未使用カード番号についてサーチした結果、それが使用されているにもかかわらず、何らかの手違い等により外国業務提携銀行カードセンター４にカード発行報告信号等の連絡信号が送信されていなかった場合等には、直ちに、国内銀行本支店２は、そのカード番号が現在どのような状態であるかを知らせる信号を国内銀行カードセンター１を介して外国業務提携銀行カードセンター４に対して発信する。
【００５４】
なお、未返却未使用カード番号照会信号（ステップＳＦ２３、２４参照）を発信させるタイミングを、外国業務提携銀行カードセンター４内の取出済未使用カード番号ファイル４Ｂに未使用カード番号を格納した後、所定時間経過したときにする例について説明したが、その場合に限らず、例えば、国内銀行本支店２は、上述したように、不要となった未使用カード番号については営業終業時またはそれ以前に外国業務提携銀行カードセンター４に返却することになっているため、それを利用して、営業終業時後にまとめて行うようにしてもよい。
【００５５】
また、外国業務提携銀行カードセンター４から、上述した報告受理信号（ステップＳＦ１６、１７；ＳＦ２１、２２；ＳＦ２８、２９）が所定時間経過しても送信されて来ない場合には、何らかの手違いにより、ステップＳＦ１０、１２のカード発行報告信号、ステップＳＦ１８、１９の不要未使用カード番号返却報告信号、または、ステップＳＦ２５、２６の返却報告信号が、外国業務提携銀行カードセンター４に到着していない可能性が高いため、国内銀行本支店２は、再度、それらの報告信号を国内銀行カードセンター１を介して外国業務提携銀行カードセンター４に送信する。また、数回にわたり送信を繰り返し行っても報告受理信号が送信されて来ない場合には、国内銀行カードセンター１または外国業務提携銀行カードセンター４内に何らかの異常が発生している場合であるため、その異常を国内銀行本支店２内の係員に知らせるために、例えば、アラーム音を発生させる、または、処理手段２Ｂに接続されたディスプレイ等の表示手段（図示せず）にメッセージ等を表示させるための異常報知手段を設けるようにしてもよい。なお、国内銀行カードセンター１、外国業務提携銀行カードセンター４及び外国業務提携銀行本支店１０にも、同様の異常報知手段を設けるようにしてもよい。
【００５６】
次に、外国業務提携銀行カードセンター４内の使用中カード番号ファイル４Ｃ内に格納されているカード番号のカードの残高がゼロになった場合の動作について説明する。外国業務提携銀行本支店１０内に開設されているカード決済専用口座はカード元金以外は入金出来ないので、残高がゼロになると当該口座は自動的に閉鎮され、同口座は使用不可となる。従って残高がゼロになると当該カード決済専用口座の閉鎮通知信号が外国業務提携銀行本支店１０から外国業務提携銀行カードセンター４へ送信されて来るので、同カードセンターにおいてはその信号に基づいて処理手段４Ｆの制御により使用済みとなった当該カード番号は顧客情報と共に使用中カード番号ファイル４Ｃから使用済カード番号ファイル４Ｄへ自動的に移管されると同時に、顧客３へ同口座閉鎮通知を伴うステイトメントを郵送する。また、このようにして使用済カード番号ファイル４Ｄ内へ移管されたカード番号は、移管後１０年経過した時点で、再使用のために、未使用カード番号ファイル４Ａに返戻される。
【００５７】
また、外国業務提携銀行カードセンター４内の使用中カード番号ファイル４Ｃ内に格納されているカード番号のカードにおいて、残高があるにもかかわらず、カードの有効期限が過ぎてしまった場合の動作について説明する。外国業務提携銀行カードセンター４は、カードの有効期限が経過すると、処理手段４Ｆの制御により直ちにそれを検知して、そのカードのカード番号を顧客情報とともに使用中カード番号ファイル４Ｃから睡眠カード番号ファイル４Ｅへ移管する。また、それと同時に、外国業務提携銀行本支店１０へ当該有効期限切れカードのカード決済専用口座残高を睡眠口座へ移管するよう指示信号を発信し、また、同時にカードの有効期限が経過した旨を知らせる通知書を顧客３に郵送する。また，そのカード番号は、睡眠カード番号ファイル４Ｅへ移管した後１０年経過した時点で、再使用のために、未使用カード番号ファイル４Ａに返戻され、また、それと同時に、カード決済専用口座の残高は、外国業務提携銀行カードセンター４の損益勘定に移されて利益処分される。なお、後日、顧客３から、上記のように利益処分された残高について請求があった場合には、外国業務提携銀行カードセンター４はその請求に応じて、直ちに、その請求された金額を顧客３に支払う。以上が外国業務提携銀行カードセンター４と国内銀行本支店２との間のやりとりについての説明である。
【００５８】
次に、外国業務提携銀行カードセンター４と外国業務提携銀行本支店１０との間のやりとりの動作について説明する。図３に示すように、外国業務提携銀行本支店１０は、顧客３からカード発行依頼の申込を受けると（ステップＳＨ１）、ユーザーインターフェース手段１０Ａ、第五の通信接続手段９及び外国業務提携銀行カードセンター４内のインターフェース手段４Ｇを介して、同カードセンターの処理手段４Ｆの制御に基づいて、同カードセンターの未使用カード番号ファイル４Ａから未使用カード番号を取り出し（ステップＳＨ２）、同時に、そのカード番号は外国業務提携銀行本支店１０の店舗データと共に、処理手段４Ｆの制御により、自動的に、取出済未使用カード番号ファイル４Ｂに移管される（ステップＳＨ３）。当該カード番号は、外国業務提携銀行本支店１０内の取出済未使用カード番号ファイル１０Ｃに一時的に入力される（ステップＳＨ４）。同本支店１０の銀行員は、当該カード番号を取出済未使用カード番号ファイル１０Ｃから取り出して、顧客申込書に基づいて、カードデータを作成して、そのカードデータを当該カード番号と共に未承認カード番号ファイル１０Ｄに一時的に入力する（ステップＳＨ５）。同本支店１０の役職者は当該カードデータを未承認カード番号ファイル１０Ｄから呼び出して内容を確認して承認すると同時に、使用中カード番号ファイル１０Ｅに入力及び記録保存する（ステップＳＨ６）。このとき、同時に当該カード番号のカード決済専用口座の開設依頼信号が同本支店の所定の部署に発信され同口座が開設される。また、同時に当該カード番号の同本支店支払いカードを作製発行して同カードを顧客３に渡す（ステップＳＨ７）。
【００５９】
次に、外国業務提携銀行本支店１０は、外国業務提携銀行カードセンター４にカード発行報告信号（コンファメイション）を送信する（ステップＳＨ８）。外国業務提携銀行カードセンター４は、当該信号に基づいて、取出済未使用カード番号ファイル４Ｂから当該カード番号を使用中カード番号ファイル４Ｃに移入する（ステップＳＨ９）とともに、当該カード発行報告信号（コンファメイション）を受信した旨を知らせる報告受理信号を外国業務提携銀行本支店１０に送信する（ステップＳＨ１０）。
【００６０】
また、この場合も、外国業務提携銀行本支店１０において、取り出したものの不要になった不要未使用カード番号が発生した場合には、当該カード番号を返却するための不要未使用カード番号返却報告信号を、外国業務提携銀行カードセンター４に送信する（ステップＳＨ１２）と、それを受けた外国業務提携銀行カードセンター４は、当該カード番号を、取出済未使用カード番号ファイル４Ｂから未使用カード番号ファイル４Ａに返戻した（ステップＳＨ１３）後に、当該不要未使用カード番号返却報告信号を受信した旨を知らせる報告受理信号を送信する（ステップＳＨ１４）。
【００６１】
未返却未使用カード番号が発生した場合には、外国業務提携銀行カードセンター４は、未返却未使用カード番号照会信号を、外国業務提携銀行本支店１０に送信する（ステップＳＨ１５）。それを受けた外国業務提携銀行本支店１０は、その当該カード番号について調査し、それが未使用であった場合には、取出済未使用カード番号ファイル１０Ｃから当該カード番号を消去すると共に、そのカード番号を返却するための返却報告信号を外国業務提携銀行カードセンター４に送信する（ステップＳＨ１６）。外国業務提携銀行カードセンター４は、当該カード番号を取出済未使用カード番号ファイル４Ｂから未使用カード番号ファイル４Ａに返戻し（ステップＳＨ１７）、その後に、当該返却報告信号を受信した旨を知らせる報告受理信号を外国業務提携銀行本支店１０に送信する（ステップＳＨ１８）。他の動作、すなわち、使用済カード番号及び睡眠カード番号等に関する処理については、上述した（ステップＳ３０，３２，３４参照）場合とほぼ同じであるため、ここではその説明を省略する。
【００６２】
なお、本実施の形態におけるカード番号管理装置及びカード番号管理システムは、以上のように構成されて、銀行やカード会社等の種々のカードのカード発行業務におけるカード番号の管理に適用することができ、特に、業務提携を結んでいる国内外の銀行はこの装置及びシステムを使用することによって、不特定多数の海外旅行者に対して自国通貨のみならず他銀行支払いの色々な外国通貨の旅行カードを短時間で大量に発行することが出来、カード発行業務を効率的に行うことが出来る。
【００６３】
なお、上述した外国業務提携銀行本支店１０は、言うまでもなく、一カ国のみならず多数の外国における複数の業務提携銀行の本店及び支店を示している。図７は、そのことをわかりやすく説明するために、国内銀行本支店２が、例えば、イギリス、アメリカ及びドイツの外国業務提携銀行カードセンター４との間で、本発明の装置及びシステムを適用するための銀行ネットワークを構築した場合の例を示したものである。
なお、図７においては外国業務提携銀行本支店１０は省略されて図示されていないが、図３及び図４に示したように、各外国業務提携銀行本支店１０はそれぞれの外国業務提携銀行カードセンター４に接続されて、各々のネットワークが構築されている。また、国内銀行カードセンター１内の取出済未使用外銀カード番号ファイル１Ｊ、承認済外銀カード番号ファイル１Ｋ、及び使用中外銀カード番号ファイル１Ｌは、それぞれ、図７に示すように、各国の通貨単位ごとに、複数個設けるようにしてもよい。国内銀行本支店２内の取出済未使用カード番号ファイル２Ｃ、未承認カード番号ファイル２Ｅ、及び使用中カード番号ファイル２Ｄも同様に、図７に示すように、各国の通貨単位ごとに、複数個設けてもよい。
【００６４】
実施の形態３．
この実施の形態においては、上述した実施の形態２における国内銀行本支店２内にさらに図８に示すような操作入力手段２０を設けた例について説明する。この操作入力手段２０は、上述したように、銀行員または役職者等がカード発行等のための操作を行うためのものである。操作入力手段２０内には、図のように、銀行員または役職者等が信号の入力を行うためのキーボード等から構成された入力部２０ａと、ディスプレイ等から構成された表示部２０ｂと、操作入力手段２０内の内部処理動作の制御を行うためのＣＰＵ等から構成された制御部２０ｃと、上述した国内銀行本支店２内のファイル２Ｃ〜２Ｅに対するデータの入出力を行うための入出力インターフェース部２０ｄとが、設けられている。なお、操作入力手段２０は、パーソナルコンピュータ、ワークステーション、及びコンピュータ端末等から構成するようにすればよい。入力部２０ａは、以下の説明においては、入力部２０ａがキーボードから構成されている例について説明しているが、その場合に限らず、マウスのみ、または、キーボードとマウスとから構成するようにしてもよく、さらには、電子ペンや音声入力装置等、種々のあらゆる入力装置を用いるようにしてもよい。また、外国業務提携銀行本支店１０、国内銀行カードセンター１及び外国業務提携銀行カードセンター４にも、操作入力手段２０と同様の構成の操作入力手段（図示せず、図８参照）が設けられている。しかしながらこれらの操作は同じであるため、以下では、国内銀行本支店２の操作入力手段２０の動作についてのみ説明する。
【００６５】
図９〜図１６は、図８の操作入力手段２０の表示部２０ｂの表示画面の例を示したものである。図１７は、それらの表示画面を用いて、国内銀行本支店２における外国業務提携銀行支払カードの発行を行うための手順を示した流れ図である。図１８は、同様にそれらの表示画面を用いた、国内銀行カードセンター１における同カードのカード番号及びカードデータの管理手順を示した流れ図である。図１７及び図１８の動作フローについては、上述の実施の形態２で基本的に説明してあるため、ここでは詳しい説明は省略する。操作入力手段２０の表示部２０ｂの初期画面には、図９に示すような支店番号欄４０、書式番号欄４１、入力者欄（暗証番号入力欄）４２及び日付欄４３のみが表示されている。国内銀行本支店２の銀行員（オペレータ）がそれらの欄に対して、支店番号、暗証番号及び日付等を入力すると、図９に示すような書式表が表示部２０ｂの表示画面に表示される（図１７のステップＳＯＰ１）。当該書式表には、図のように、後述する図１０〜図１６の各画面のリスト一覧（書式番号とその書式名称）が表示されている。銀行員は、それらの中から必要な画面を示す書式番号（Ｆ２〜Ｆ８のいずれか）を選択して、それを画面下部の書式変換欄４４に入力してカーソル（マウスを用いる場合は、マウスポインタ）を終了欄４５に移動させて、入力部２０ａを構成しているキーボードのリターンキーを１度押して（マウスを用いる場合は、マウスをクリックして）、この画面を終了させるとともに、選択した当該書式番号の画面に切り替える（なお、書式番号Ｆ１を選択した場合には、その書式番号に相当する画面は図９のものであるため、この画面のままである。）。
【００６６】
図９の画面の書式変換欄４４（もしくは、後述する図１０〜１６の画面の書式変換欄）で書式番号Ｆ２を選択した場合には、図１０に示すような画面に切り替わる。この画面は、外国業務提携銀行１０の各々に対して予め定められている銀行コードを調べるためのものであり、操作入力手段２０の検索部を構成している。この画面において、国名欄５０に探索すべき銀行所在国名を入力すると、その下の国名欄５１にもその国名が表示されるとともに、通貨単位欄５２にその国の通貨単位（例えば、ＵＳ＄，ＣＡ＄，ＤＥＭ，ＪＰ￥，ＳＴ£，ＳＦＲ，ＦＦＲ，ＡＵ＄，ＨＫ＄，他）が表示され、外国業務提携銀行欄５３に、その国における業務提携している外国業務提携銀行１０の名称がすべて（例えば、アメリカＡＢＣ銀行、ニューヨークＣＣＣ銀行等というように）表示され、銀行コード欄５４にそれらの外国業務提携銀行１０の銀行コードがすべて表示される。銀行員（オペレータ）はそれにより、銀行コードをチェックすることができる。銀行員は、次の操作のための画面に切り替えるために適当な書式番号（Ｆ１〜Ｆ８）を選択して、書式変換欄５５にそれを入力して、カーソルを終了欄５６に移動させてキーボードのリターンキーを１度押して画面を終了させて選択した当該書式番号の画面に切り替える。或いは、選択した銀行コードを次の操作のための画面上にコピーさせたい場合には以下の操作を行う。まず、銀行コード欄５４内の銀行コードの中から１つ選択してそこにカーソルを移動させてキーボードのリターンキーを１度押して同銀行コードをマークし、次に、コピー欄５７にカーソルを移動させて、キーボードのリターンキーを１度押す。その後に、次の操作のための画面の書式番号（Ｆ１〜Ｆ８）を書式変換欄５５に入力して、カーソルを終了欄５６に移動させてキーボードのリターンキーを１度押すと、図１０の画面が終了され、選択した当該書式番号の画面に切り替わり、その画面に、自動的に、当該銀行コード及び銀行名が表示される（図１７のステップＳＯＰ１及び図１８のステップＳＯＰ１１）。
【００６７】
このように、本実施の形態においては、国名を入力すると、その国名に基づいて、その国の通貨単位、業務提携銀行、及び、その銀行コードを検索し、それらのリストを画面表示するようにしたので、銀行員及び役職者等のオペレータはそのリストにより、容易に、通貨単位、業務提携銀行、銀行コード等の情報を得ることができる。また、コピー機能を設けたので、必要な銀行コードをオペレータが検索後に覚える必要がなく、コピー欄５７を用いることにより、容易に、切り替え先の次画面にその銀行コード及び銀行名を表示することができる。
【００６８】
図９の画面の書式変換欄４４（もしくは、図１０〜１６の画面の書式変換欄）で書式番号Ｆ３を選択した場合には、図１１に示すような画面に切り替わる。この画面は、外国業務提携銀行支払カードを発行するために、外国業務提携銀行カードセンター４の未使用カード番号ファイル４Ａからカード番号を取り出すためのものであり、操作入力手段２０のカード番号取出要請信号出力部を構成している。まず、銀行員（オペレータ）は、適当な外国業務提携銀行１０の銀行コードを銀行コード欄６０に入力する（図１７のステップＳＯＰ１及び図１８のステップＳＯＰ１１）。もしくは、図１０の画面のコピー欄５７を用いてこの画面に銀行コードをコピーする。それらの操作により、自動的に、外国業務提携銀行名欄６１に、その外国業務提携銀行１０の銀行国籍及び当該銀行名が表示される。次に、カード番号取出数量欄６２に、必要なカード番号取出数量を入力して、カーソルを終了欄６３に移動させてリターンキーを１度押し、いったん作業を終了させて上述の初期画面に戻してから、役職者にカード番号の取出要請をする。
【００６９】
取出要請された役職者は、初期画面に対して、支店番号、書式番号（Ｆ３）、日付及び暗証番号を入力して、図１１の書式番号Ｆ３の画面を呼び出して、先に銀行員が入力したカード番号取出数量欄６２等の内容を確認して、承認欄６４にカーソルを移動させて、リターンキーを１度押すと、通信接続手段が自動的に、国内銀行カードセンター１を介して、当該外国業務提携銀行カードセンター４へ接続されて、カード番号を取り出す（図１７のステップＳＯＰ２及び図１８のステップＳＯＰ１１及び１２）。次に、カーソルを終了欄６３に移動させて、リターンキーを１度押して、作業を終了させる。このとき、取り出された当該カード番号は、国内銀行カードセンター１及び国内銀行本支店２の取出済未使用外銀カード番号ファイル１Ｊ及び２Ｃに自動的に入力される（図１７のステップＳＯＰ３及び図１８のステップＳＯＰ１３）。また、銀行員が最初の操作において、銀行コードとして自行コード（自分の銀行のコード）を銀行コード欄６０に入力した場合には、自行カードセンター１へアクセスすることが出来る。このように銀行コードを使用すると通信接続手段が自行カードセンターを介して外銀カードセンターへ自動的に接続されるので、カード発行業務が迅速かつ効率的に実行できる。
【００７０】
なお、銀行員と役職者の暗証番号はそれぞれのログインのためのパスワードと同じに設定するようにしてもよい。また、書式及び画面の変換は、カーソルとキーボードで操作するより、マウスを使用した方がより便利である。
【００７１】
このように、この実施の形態においては、図１１の画面に、銀行コードとカード番号取出数量を入力することにより、外国業務提携銀行カードセンター４の未使用カード番号ファイル４Ａまたは国内銀行カードセンター１の未使用カード番号ファイル１Ａからカード番号を取り出すことができるので、操作が容易でありカード発行業務を迅速にすることができる。また、役職者による承認を行ってから、カード番号お取り出すようにしたので、誤操作を防止することができるとともに、悪意の第三者によるカード番号取出を防止することができるので、安全性及び信頼性が向上する。
【００７２】
図９の画面の書式変換欄４４（もしくは、図１０〜１６の画面の書式変換欄）で書式番号Ｆ４を選択した場合には、図１２に示すような画面に切り替わる。この画面は、国内銀行本支店２の取出済未使用カード番号ファイル２Ｃ内に格納され、使用されずに残留しているカード番号がいくつあるかを確認するためのものであり、操作入力手段２０の残留取出済未使用カード番号確認部を構成している。まず、はじめに、銀行員が、初期画面に対して、支店番号、書式番号（Ｆ４）、暗証番号及び日付を入力すると、図１２に示すような画面が表示される。次に、銀行コード欄７０に検索したい銀行のコード番号を入力すれば、当該銀行名が外国業務提携銀行名欄７１に表示されるとともに、当該銀行の未使用カード番号の残量が残量欄７２に表示され、また、それらの未使用カード番号の一覧表が残量カード番号欄７３に表示されるので、銀行員はそれらにより残留している未使用カード番号をチェックすることができる。
【００７３】
また、銀行コード欄７０に、全て０（ゼロ）番号（すなわち、００００）もしくは全て＊記号（すなわ、＊＊＊＊）等の予め定められた所定のコードを入力すると、全銀行の残留取出済未使用カード番号がすべて一覧表に表示される。なお、同画面上のページ切り替えは、キーボードに設けられたページ変換キーまたは所定のキーを押して（マウスを用いる場合は、画面上のページ切替欄７４をマウスでクリックして）、ページをめくるようにする。
【００７４】
上述のようにして残留している取出済未使用カード番号を確認した結果、それらが不要であると判断された場合には、当該取出済未使用カード番号を返却する。その場合の操作は以下の通りである。まず、銀行員は、図１２の画面において、当該銀行の銀行コードを銀行コード欄７０に入力して、当該銀行名を表示させ、次に、返却数量を返却数量欄７５に入力した後に、カーソルを終了欄７６に移動させて、リターンキーを１度押して、いったん作業を終了させて初期画面に戻し、役職者に承認を要請する。承認を要請された役職者は、初期画面に、支店番号、書式番号、暗証番号及び当該銀行コードを入力して、銀行員が先ほど入力した画面を呼び出して、内容を確認し、カーソルを承認欄７７に移動させて、リターンキーを１度押して、当該カード番号を自行カードセンター１を介して当該外国業務提携銀行カードセンター４へ返却する。このとき、返却されたカード番号は、国内銀行本支店２の取出済未使用カード番号ファイル２Ｃから自動的に消去される。終了欄７６にカーソルを移動させて、リターンキーを１度押すと、作業が終了される。
【００７５】
このように、図１２の画面に銀行コードを入力するだけで、取出済未使用カード番号ファイル２Ｃ等内に格納され、使用されずに残留しているカード番号の有無を容易に確認することができ、次に、それらのカード番号が不要であった場合には、返却数量を入力することにより、外国業務提携銀行カードセンター４へ不要になった当該カード番号を返却することができるので、未返却不要カード番号の発生を容易に防止することができる。また、返却する前に、役職者の承認を得るようにしたので、誤操作を防止することができる。
【００７６】
図９の画面の書式変換欄４４（もしくは、図１０〜１６の画面の書式変換欄）で書式番号Ｆ５を選択した場合には、図１３に示すような画面に切り替わる。この画面は、顧客３から申し込まれた申込用紙の顧客情報に基づいてカードを作製発行するための操作を行うためのものであり、カード発行手段２２（図８参照）、カードデータを作成するためのカードデータ作成手段、及び、カードデータの内容の確認を行って誤りがないことが確認されたカードデータをカード発行手段２２及び国内銀行カードセンター１に出力するための承認手段を構成しているものである。銀行員は、初期画面に、支店番号、書式番号（Ｆ５）、日付及び暗証番号を入力して、図１３の画面を表示させる。次に、当該外国業務提携銀行１０の銀行コードを銀行コード欄８０に入力して、当該銀行名、外国通貨及びカード番号を自動的に表示し、顧客申込書に基づいて、カードデータ入力欄８５に、カード金額、有効期限、顧客名、住所、電話番号、身分証明書及び暗証番号等の顧客データを入力してカードデータを作成し（図１７のステップＳＯＰ４）、カーソルを終了欄８１に移動させて、リターンキーを１度押して、いったん作業を終了させて初期画面に戻し、役職者に承認を要請する。このとき、当該カード番号は、取出済未使用カード番号ファイル２Ｃから自動的に取り出されて、カードデータとともに未承認カード番号ファイル２Ｅに一時的に入力される（図１７のステップＳＯＰ５）。また、上述の入力したカード金額にしたがって、金額欄８４に、その日の為替レート、国内通貨単位による邦貨金額、手数料、及び、それらの合計金額等が自動的に表示される。顧客コード欄８６に銀行口座取引の有る固定客の予め登録されたコード（以下、顧客コードとする。）を入力すると、図１３の所定欄８５に当該顧客情報が表示されるので、銀行は当該顧客との間で電話やパソコン等で顧客コードや購入希望外国通貨金額や暗証番号等を確認するだけで自行カードや外銀支払いカードを発行することができる。
【００７７】
複数個の顧客申込書を入力する場合は、１つの申込書のデータを総て入力した後に、キーボードのリターンキーを１度押せば、入力された内容が画面上から消去されて、同じ画面を繰り返し表示して入力する事が出来る。また、外国銀行間の取引上及び業務の効率上、それらのデータは全て英語で入力するようにしてもよい。
【００７８】
上述のようにして承認を要請された役職者は、支店番号、書式番号．暗証番号及び日付を入力して、銀行員が入力した前工程画面を表示して、未承認カード番号ファイル２Ｅ中の当該カードデータの内容を表示し、それを確認して（図１７のステップＳＯＰ６）、カーソルを承認欄８２及び否認欄８３に移動させて、リターンキーを１度押すと、それらのカードデータは、以下のＡ）またはＢ）の工程で自動的に処理される。なお、複数個のカードデータを承認する場合は、現画面のカードデータを承認すると、自動的に、次のカードデータが表示されるというように、順次表示されてそれぞれのデータを承認することが容易に出来る。作業を終了させたい場合には、カーソルを終了欄８１に移動させて、リターンキーを１度押すと終了する。
【００７９】
Ａ）承認済カードデータ
承認された当該カードデータは、国内銀行本支店２の使用中カード番号ファイル２Ｄへ移入され記録される（図１７のステップＳＯＰ７）とともに、当該カードデータに基づいて、当該カード番号のカードが作製発行される（図１７のステップＳＯＰ８）。また、当該カードデータは、国内銀行カードセンター１の承認済カード番号ファイル１Ｋへ送信入力されて、所定の一定時間の間、そこに順次集積格納され、業務終了時前にそこから外国業務提携銀行カードセンター４に送信される。（図１８のステップＳＯＰ１４、１５、１６、１７）
【００８０】
Ｂ）否認カードデータ
当該カードデータの内容に間違いがあった場合には、上述したように、役職者がカーソルを否認欄８３に移動させて、リターンキーを１度押すと、当該カードデータは、未承認カード番号ファイル２Ｅに返戻される。銀行員は返戻された否認カードデータを画面に呼び出して内容を訂正する。（図１７のステップＳＯＰ４、５、６）
【００８１】
このように、図１３の画面に、顧客情報等を入力することにより、容易にカードデータを作成することができ、それにもとづき、カードを作製発行することができるので、カード発行業務を容易にかつ迅速に行うことができる。また、そのカードデータの内容を役職者が確認してからカードを作製発行するようにしたので、誤った内容のカードを発行してしまうことを防止することができるとともに、悪意の第三者によるカードの発行を防止することができるので、安全性及び信頼性を向上させることができる。
【００８２】
図９の画面の書式変換欄４４（もしくは、図１０〜１６の画面の書式変換欄）で書式番号Ｆ６を選択下場合には、図１４に示すような画面に切り替わる。この画面は、銀行員が入力した後に、役職者が上述した承認操作を行っていない未承認の残留カード番号の有無を確認するためのものであり、操作入力手段２０の残留未承認カード番号確認部を構成している。まず、始めに、国内銀行本支店２の銀行員または役職者は、銀行コード欄９０に全て０番号もしくは＊記号（すなわち、００００または＊＊＊＊）を入力し、国内銀行本支店２の未承認カード番号ファイル２Ｅ中の全銀行の未承認残留カード番号及び未承認数量を表示させて確認する。未承認残留カード番号が無ければ、カーソルを確認終了欄９１に移動させて、リターンキーを１度押して作業を終了させる。未承認残留カード番号が有れば、役職者は上述の操作手順にしたがって、当該カード番号の発行承認を行う。
【００８３】
このように、図１４の画面に銀行コードを入力するだけで、銀行員が入力した後に、役職者が上述した承認操作を行っていない未承認の残留カード番号の有無を確認することができるので、容易にかつ迅速に確認することができ、未承認のまま忘れられてカード発行が遅れてしまうということを防止することができる。
【００８４】
図９の画面の書式変換欄４４（もしくは、図１０〜１６の画面の書式変換欄）で書式番号Ｆ７を選択した場合には、図１５に示すような画面に切り替わる。この画面は、国内銀行カードセンター１において、営業終了時前に外国業務提携銀行カードセンター４に送信させるべき承認済外銀カード番号ファイル１Ｋ内に、送信されずに残留しているカード番号がないかどうかを確認するためのものであり、操作入力手段の残留承認済カード番号確認部を構成している。図１５の画面において、国内銀行カードセンター１の銀行員及び役職者は、当該画面の銀行コード欄１００に、確認したい銀行の銀行コード、もしくは、全て０番号を入力する。それにより、承認済外銀カード番号ファイル１Ｋ内の送信されていない残留カード番号及び残量等が表示される。残留カード番号が無ければ、カーソルを確認承認欄１０１に移動させて、リターンキーを１度押して作業を終了させる。
【００８５】
図１５の画面は、国内銀行カードセンター１の承認済外銀カード番号ファイル１Ｋ内の残留カード番号を、外国業務提携銀行カードセンター４に送信するためのものである。当該画面により、承認済外銀カード番号ファイル１Ｋ内の送信されていない残留カード番号及び残量等を各々業務提携銀行カードセンター毎にチェックする事が出来る。また、個々の銀行について表示したい場合には、銀行コード欄１００に当該銀行コードを入力する。銀行コードが不明な場合には、書式変換欄１０２にＦ２を入力して、上述の図１０の画面に戻る。次に、残留未発信カード番号の数量を確認して、確認欄１０１にカーソルを移動させて、リターンキーを１度押すと、そのカード番号のカードデータは自動的に当該外国業務提携銀行カードセンター４に発信報告される。この発信報告動作は、ユーザーインターフェース１Ｈ内に設けられている報告信号自動発信部（図示せず）により行われる。なお、カードデータは、国内銀行本支店２において既に確認され、承認されているものなので、再確認する必要はない。
このように、図１５の画面に銀行コードを入力するだけで、国内銀行カードセンター１において、営業終了時前に外国業務提携銀行カードセンター４へ送信されずに承認済外銀カード番号ファイル１Ｋ内に残留しているカード番号及びカードデータの有無を確認することができ、また，カードが発行されたにもかかわず、外国業務提携銀行カードセンター４に当該カード番号のカードが発行された旨のカード発行報告信号（図５のステップＳＦ１２）が万一送信されていない場合にも、直ちにそれらのカード番号及びカードデータの発行報告信号を送信することができるので、カード発行業務における国内銀行カードセンター１と外国業務提携銀行カードセンター４との間の連絡を確実なものにすることができる。
【００８６】
図１５の画面の書式変換欄１０２で書式番号Ｆ８を選択した場合は、図１６の画面に切り替わる。この画面では、国内銀行本支店や外国業務提携銀行本支店において営業日当日に発行されて発行銀行本支店側使用中カード番号ファイル或いはカードセンター中継装置側使用中外銀カード番号ファイル及びカード母体銀行側使用中カード番号ファイルに入力され、記録保存された個々のカード番号及び顧客のカードデータを検索し確認する事が出来る。各カード発行銀行本支店並びに関連カードセンターにおいて、営業終業時に、この画面の銀行コード欄１１０に上記で述べたように銀行コードを入力すれば、各支払い銀行毎或いは各発行銀行毎に営業日当日の全ての発行済みカードデータをプリントして監査する事が出来るので、カード発行業務を確実にすることができる（図５のステップＳＦ３０）。
【００８７】
以上のように、この実施の形態においては、操作入力手段２０の表示部２０ｂに図９〜１６に示したような画面を表示させて、キーボード等から構成された入力部２０ａにより操作を行うようにしたので、銀行員及び役職者等のオペレータは容易に操作を行うことができ、カード発行をより迅速にかつ容易に行うことが出来る。また、カードを発行する前に、役職者等の特定の人の承認を得るようにしたので、カード発行の誤操作を防止することができる。
【図面の簡単な説明】
【図１】  本発明の実施の形態１によるカード番号管理装置を含むカード番号管理システムを示したブロック図である。
【図２】  図１のカード番号管理システムにおけるカード発行業務及びカード番号管理業務の動作のフローを示したタイミング図である。
【図３】  本発明の実施の形態２によるカード番号管理装置を含むカード番号管理システムを示したブロック図である。
【図４】  本発明の実施の形態２によるカード番号管理装置を含むカード番号管理システムを示したブロック図である。
【図５】  図４のカード番号管理システムにおけるカード発行業務及びカード番号管理業務の動作のフローを示したタイミング図である。
【図６】  図４のカード番号管理システムにおけるカード番号管理業務の動作のフローを示したタイミング図である。
【図７】  本発明の実施の形態２によるカード番号管理装置を含むカード番号管理システムを示したブロック図である。
【図８】  本発明の実施の形態３による国内銀行本支店の構成を示したブロック図である。
【図９】  本発明の実施の形態３による操作入力手段の画面構成の一例を示した図である。
【図１０】  本発明の実施の形態３による操作入力手段の画面構成の一例を示した図である。
【図１１】  本発明の実施の形態３による操作入力手段の画面構成の一例を示した図である。
【図１２】  本発明の実施の形態３による操作入力手段の画面構成の一例を示した図である。
【図１３】  本発明の実施の形態３による操作入力手段の画面構成の一例を示した図である。
【図１４】  本発明の実施の形態３による操作入力手段の画面構成の一例を示した図である。
【図１５】  本発明の実施の形態３による操作入力手段の画面構成の一例を示した図である。
【図１６】  本発明の実施の形態３による操作入力手段の画面構成の一例を示した図である。
【図１７】  本発明の実施の形態２及び３による国内銀行本支店における外国業務提携銀行カード発行動作を示した流れ図である。
【図１８】  本発明の実施の形態２及び３による国内銀行カードセンターにおける外国業務提携銀行カード発行に関する動作を示した流れ図である。
【符号の説明】
１  国内銀行カードセンター、１Ａ  未使用カード番号ファイル、１Ｂ  取出済未使用カード番号ファイル、１Ｃ  使用中カード番号ファイル、１Ｄ  使用済カード番号ファイル、１Ｅ  睡眠カード番号ファイル、１Ｆ，１Ｍ，１Ｐ  処理手段、１Ｇ  インターフェース手段、１Ｊ  取出済未使用外銀カード番号ファイル、１Ｋ  承認済外銀カード番号ファイル、１Ｌ  使用中外銀カード番号ファイル、２  国内銀行本支店、２Ａ  ユーザーインターフェース手段、２Ｂ  処理手段、２Ｃ  本支店側取出済未使用カード番号ファイル、２Ｄ  本支店側使用中カード番号ファイル、２Ｅ  本支店側未承認カード番号ファイル、３  顧客、４  海外業務提携銀行カードセンター、４Ａ  未使用カード番号ファイル、４Ｂ  取出済未使用カード番号ファイル、４Ｃ  使用中カード番号ファイル、４Ｄ  使用済カード番号ファイル、４Ｅ  睡眠カード番号ファイル、４Ｆ  処理手段、４Ｇ  インターフェース手段、５  第一の通信接続手段、６  第二の通信接続手段、７  第四の通信接続手段、８  第三の通信接続手段、９  第五の通信接続手段、１０  外国業務提携銀行、１０Ａ  ユーザーインターフェース手段、１０Ｂ  処理手段、１０Ｃ  取出済未使用カード番号ファイル、１０Ｄ  未承認カード番号ファイル、１０Ｅ  使用中カード番号ファイル、２０  操作入力手段、２２  カード発行手段。
【図１】
0004158949.tif 000002
【図２】
0004158949.tif 000003
【図３】
0004158949.tif 000004
【図４】
0004158949.tif 000005
【図５】
0004158949.tif 000006
【図６】
0004158949.tif 000007
【図７】
0004158949.tif 000008
【図８】
0004158949.tif 000009
【図９】
0004158949.tif 000010
【図１０】
0004158949.tif 000011
【図１１】
0004158949.tif 000012
【図１２】
0004158949.tif 000013
【図１３】
0004158949.tif 000014
【図１４】
0004158949.tif 000015
【図１５】
0004158949.tif 000016
【図１６】
0004158949.tif 000017
【図１７】
0004158949.tif 000018
【図１８】
0004158949.tif 000019